(57)【要約】【課題】  観察者が観察する虚像と外界とに輝度ムラが発生することを抑制することができる表示装置を提供する。【解決手段】  第一面４６ａ及び／又は第二面４６ｂで光学系３からの画像表示光を設定方向へと反射させながら出射面４２に導き、出射面４２から画像表示光を観察者の眼に導く第一ライトガイド５を備える表示装置１であって、第一ライトガイド５は、第二ライトガイド４に画像表示光を導く誘導面４３を有し、第一面５６ａ及び／又は第二面５６ｂで第一ライトガイド５からの画像表示光を反対設定方向へと反射させながら出射面５２に導き、出射面５２から画像表示光を観察者の眼に導く第二ライトガイド５を備え、第一ライトガイド４における出射面４２からの画像表示光と、第二ライトガイド５における出射面５２からの画像表示光とが重なるようにして、観察者の眼Ｅに導くことを特徴とする。【選択図】図１
2011028141.tif 000002
【特許請求の範囲】
【請求項１】
表示領域となる画像を形成して、画像表示光を出射する表示素子を有する出射機構と、
観察対象の虚像を形成するために、画像表示光を反射又は透過させる光学系と、
第一面と、当該第一面と対向する第二面と、観察者の眼の前方に配置される出射面とを有し、前記第一面及び／又は第二面で光学系からの画像表示光を設定方向へと反射させながら出射面に導き、前記出射面から画像表示光を観察者の眼に導く第一ライトガイドとを備える表示装置であって、
第二ライトガイドを備え、
前記第一ライトガイドは、前記設定方向における第一ライトガイドの出射面の奥側に第二ライトガイドに画像表示光を導く誘導面を有し、
前記第二ライトガイドは、第一面と、当該第一面と対向する第二面と、観察者の眼の前方に配置される出射面とを有し、前記第一面及び／又は第二面で第一ライトガイドからの画像表示光を設定方向と反対となる反対設定方向へと反射させながら出射面に導き、前記出射面から画像表示光を観察者の眼に導き、
前記第一ライトガイドにおける出射面からの画像表示光と、前記第二ライトガイドにおける出射面からの画像表示光とが重なるようにして、前記観察者の眼に導くことを特徴とする表示装置。
【請求項２】
表示領域となる画像を形成して、画像表示光を出射する表示素子を有する出射機構と、
観察対象の虚像を形成するために、画像表示光を反射又は透過させる光学系と、
第一面と、当該第一面と対向する第二面と、観察者の眼の前方に配置される出射面とを有し、前記第一面及び／又は第二面で光学系からの画像表示光を設定方向へと反射させながら出射面に導き、前記出射面から画像表示光を観察者の眼に導く第一ライトガイドとを備える表示装置であって、
第二ライトガイドを備え、
前記第一ライトガイドは、前記設定方向における第一ライトガイドの出射面の奥側に第二ライトガイドに画像表示光を導く誘導面を有し、
前記第二ライトガイドは、第一面と、当該第一面と対向する第二面と、誘導面とを有し、前記第一面及び／又は第二面で第一ライトガイドからの画像表示光を設定方向と反対となる反対設定方向へと反射させながら誘導面に導き、前記誘導面から画像表示光を設定方向における第一ライトガイドの出射面の手前側に導くことを特徴とする表示装置。
【請求項３】
前記第二ライトガイドは、前記反対設定方向における第二ライトガイドの出射面の奥側に、設定方向における第一ライトガイドの出射面の手前側に画像表示光を導く誘導面を有することを特徴とする請求項１に記載の表示装置。
【請求項４】
前記第一ライトガイドにおける出射面は、前記設定方向において順番となるようにＮ個の出射面を有し、
前記第二ライトガイドにおける出射面は、前記反対設定方向において順番となるようにＮ個の出射面を有し、
前記第一ライトガイドにおける第ｎ番目の出射面からの画像表示光と、前記第二ライトガイドにおける第（Ｎ＋１−ｎ）番目の出射面からの画像表示光とが重なるようにして、前記観察者の眼に導くことを特徴とする請求項１又は請求項３に記載の表示装置。
【請求項５】
前記第一ライトガイドにおけるＮ個の出射面と、前記第二ライトガイドにおけるＮ個の出射面とは、同一の反射率を有することを特徴とする請求項４に記載の表示装置。
【請求項６】
前記第一ライトガイド及び第二ライトガイドにおける出射面は、回折面であることを特徴とする請求項１〜請求項３のいずれかに記載の表示装置。
【請求項７】
前記表示素子は、Ｐ偏光又はＳ偏光の画像表示光を出射し、
前記第一ライトガイドは、前記設定方向における第一ライトガイドの出射面の手前側に、前記第二ライトガイドからの画像表示光が導かれる偏光変換面と、前記表示素子からの画像表示光が導かれる偏光ビームスピリッタ面とをこの順に有することを特徴とする請求項２〜請求項６のいずれかに記載の表示装置。
【発明の詳細な説明】
【技術分野】
【０００１】
本発明は、腰のベルトや装身具等を介して身体に纏うウエアラブルコンピュータや、ナップサックやポケットに入れて携帯できる携帯電話器等の通信機器のような、卓上以外の環境で利用可能な情報機器のためのモニタに適した表示装置に関する。
【背景技術】
【０００２】
身体に纏う形態の情報機器用の表示装置としては、眼鏡型の形態が主流となりつつある。図５は、観察者の頭部に装着される従来の眼鏡型ディスプレイ（表示装置）を示す外観図であり、図６は、観察者の頭部に装着される従来の眼鏡型ディスプレイの概略構成を示す光路図である。
眼鏡型ディスプレイ４０１は、眼鏡と似た外観をしており、画像表示光Ｌを出射するユニット部Ｕと、ユニット部Ｕからの画像表示光Ｌを内部で反射させながら観察者の眼Ｅに導く基板であるライトガイド４０４と、ユニット部Ｕとライトガイド４０４とが取り付けられるフレーム部Ｆとを備える（例えば、特許文献１参照）。
なお、眼鏡型ディスプレイ４０１は右眼用であり、遠方を見ている状態の右眼Ｅの中心に原点を有したＸＹＺ座標系を定義する。Ｚ方向は観察者の前方であり、Ｙ方向は観察者の上方であり、Ｘ方向（設定方向）は観察者の左方である。
【０００３】
ユニット部Ｕは、出射方向に垂直である面に表示領域（Ｘ１×Ｙ１）となる画像を形成して画像表示光Ｌを出射する透過型液晶表示器（表示素子）２を有する出射機構Ｓと、観察対象の虚像を形成する光学系３とを備える。
出射機構Ｓは、光源（図示せず）と、透過型液晶表示器２とを備える。透過型液晶表示器２は、制御部（図示せず）からの画像信号に基づいて、出射方向に垂直である面に表示領域（Ｘ１×Ｙ１）となる画像を形成し、その画像表示光Ｌを出射する。
光学系３は、表示領域（Ｘ１×Ｙ１）の画像表示光Ｌを透過させて、観察対象の虚像を形成する。
【０００４】
ライトガイド４０４は、ポリカーボネイト製（屈折率ｎｇ）の平板形状となり、一端部に形成され出射機構Ｓの前方（Ｚ方向）に配置される平面形状の全反射面４４１と、他端部に形成され観察者の眼Ｅの前方（Ｚ方向）に配置される出射面４４２と、空気との界面によって全反射面４４１と出射面４４２との間に形成される側面群４４６とを有する。
側面群４４６は、Ｘ方向（設定方向）から見ると四角形状となり、第一面４４６ａと、第一面４４６ａとＺ方向で対向する第二面４４６ｂと、第三面（図示せず）と、第三面とＹ方向で対向する第四面（図示せず）とを有する。
【０００５】
出射面４４２は、平面形状の第一出射面４４２ａと、平面形状の第二出射面４４２ｂと、平面形状の第三出射面４４２ｃとを有する。そして、Ｘ方向（設定方向）において順番に、第一出射面４４２ａと、第二出射面４４２ｂと、第三出射面４４２ｃとなるように配置されている。さらに、Ｘ方向に対する第一出射面４４２ａの角度と、Ｘ方向に対する第二出射面４４２ｂの角度と、Ｘ方向に対する第三出射面４４２ｃの角度とは、Ｙ方向から見ると同じθ１となるように配置されている。
そして、第一出射面４４２ａと第二出射面４４２ｂと第三出射面４４２ｃとは、入射した画像表示光Ｌの光束の１９％を反射するとともに、画像表示光Ｌの光束の８１％を透過することが可能となっている。
【０００６】
このようなライトガイド４０４において、まず、全反射面４４１は、光学系３からの表示領域（Ｘ１×Ｙ１）の画像表示光Ｌを略Ｘ方向（設定方向）へと反射させる。そして、第一面４４６ａと第二面４４６ｂとは、表示領域（Ｘ１×Ｙ１）の画像表示光Ｌを交互に複数回反射させながら、第一出射面４４２ａに導く。そこで、第一出射面４４２ａは、入射した画像表示光Ｌの光束の１９％を反射するとともに、画像表示光Ｌの光束の８１％を透過する。つまり、画像表示光Ｌの光束の１９．０％である画像表示光Ｌａの光束を観察者に向かって導く。また、第一出射面４４２ａを透過した画像表示光Ｌは、第二出射面４４２ｂに到達する。そこで、第二出射面４４２ｂは、入射した画像表示光Ｌの光束の１９％を反射するとともに、画像表示光Ｌの光束の８１％を透過する。つまり、画像表示光Ｌの光束の１５．４％である画像表示光Ｌｂの光束を観察者に向かって導く。さらに、第二出射面４４２ｂを透過した画像表示光Ｌは、第三出射面４４２ｃに到達する。そこで、第三出射面４４２ｃは、入射した画像表示光Ｌの光束の１９％を反射するとともに、画像表示光Ｌの光束の８１％を透過する。つまり、画像表示光Ｌの光束の１２．５％である画像表示光Ｌｃの光束を観察者に向かって導く。このように各出射面４４２ａ、４４２ｂ、４４２ｃが画像表示光Ｌを反射させることにより、ライトガイド４０４の外部に、表示領域（Ｘ１×Ｙ１）の画像表示光Ｌを出射させる。その結果、出射機構Ｓから出射される画像表示光Ｌは、ライトガイド４０４を介して、観察者の眼Ｅに導かれる。
【０００７】
しかしながら、第一出射面４４２ａと第二出射面４４２ｂと第三出射面４４２ｃと順番に画像表示光Ｌが導かれるため、第一出射面４４２ａからの画像表示光Ｌａの光束（１９．０％）と、第二出射面４４２ｂからの画像表示光Ｌｂの光束（１５．４％）と、第三出射面４４２ｃからの画像表示光Ｌｃの光束（１２．５％）とが順番に小さくなるという問題点があった。つまり、観察者が観察する虚像に輝度ムラがあった。
そこで、第一出射面４４２ａは、入射した画像表示光Ｌの光束の１９％を反射するとともに、画像表示光Ｌの光束の８１％を透過することを可能とし、第二出射面４４２ｂは、入射した画像表示光Ｌの光束の２３％を反射するとともに、画像表示光Ｌの光束の７７％を透過することを可能とし、第三出射面４４２ｃは、入射した画像表示光Ｌの光束の３１％を反射するとともに、画像表示光Ｌの光束の６９％を透過することを可能とした眼鏡型ディスプレイを開発することが考えられる。
【０００８】
このようなライトガイド４０４において、まず、全反射面４４１は、光学系３からの表示領域（Ｘ１×Ｙ１）の画像表示光Ｌを略Ｘ方向（設定方向）へと反射させる。そして、第一面４４６ａと第二面４４６ｂとは、表示領域（Ｘ１×Ｙ１）の画像表示光Ｌを交互に複数回反射させながら、第一出射面４４２ａに導く。そこで、第一出射面４４２ａは、入射した画像表示光Ｌの光束の１９％を反射するとともに、画像表示光Ｌの光束の８１％を透過する。つまり、画像表示光Ｌの光束の１９％である画像表示光Ｌａの光束を観察者に向かって導く。また、第一出射面４４２ａを透過した画像表示光Ｌは、第二出射面４４２ｂに到達する。そこで、第二出射面４４２ｂは、入射した画像表示光Ｌの光束の２３％を反射するとともに、画像表示光Ｌの光束の７７％を透過する。つまり、画像表示光Ｌの光束の１９％である画像表示光Ｌｂの光束を観察者に向かって導く。さらに、第二出射面４４２ｂを透過した画像表示光Ｌは、第三出射面４４２ｃに到達する。そこで、第三出射面４４２ｃは、入射した画像表示光Ｌの光束の３１％を反射する。つまり、画像表示光Ｌの光束の１９％である画像表示光Ｌｃの光束を観察者に向かって導く。このように各出射面４４２ａ、４４２ｂ、４４２ｃが画像表示光Ｌを反射させることにより、ライトガイド４０４の外部に、表示領域（Ｘ１×Ｙ１）の画像表示光Ｌを出射させる。その結果、出射機構Ｓから出射される画像表示光Ｌは、ライトガイド４０４を介して、観察者の眼Ｅに導かれる。
【０００９】
しかしながら、第一出射面４４２ａと第二出射面４４２ｂと第三出射面４４２ｃとは、入射した画像表示光Ｌの透過率が異なるため、第一出射面４４２ａを介して観察者が観察する外界の明るさと、第二出射面４４２ｂを介して観察者が観察する外界の明るさと、第三出射面４４２ｃを介して観察者が観察する外界の明るさとが異なるという問題点がある。つまり、観察者が観察する外界に輝度ムラがあった。
また、画像表示光Ｌの光束の４３％である光束の画像表示光Ｌは、第一出射面４４２ａと第二出射面４４２ｂと第三出射面４４２ｃとの全ての出射面４４２を透過するので、観察者が観察する虚像の輝度が低くなるという問題点もある。
【００１０】
そこで、第一出射面４４２ａと第二出射面４４２ｂと第三出射面４４２ｃとの全ての出射面４４２を透過した画像表示光Ｌを、再び出射面４４２に向かって反射する眼鏡型ディスプレイが開発されている（例えば、特許文献２参照）。このような眼鏡型ディスプレイにおける出射面は、Ｘ方向に対する角度がθ３となる平面形状の第一反射面と、Ｘ方向に対する角度がθ４となる平面形状の第二反射面とが交互に並ぶように形成されるとともに、Ｘ方向の最後に最終反射面が形成されている。これにより、略Ｘ方向へ進行する画像表示光を第一反射面で観察者に向かって導き、さらにＸ方向へ進行する画像表示光を最終反射面で略−Ｘ方向へと反射した後、略−Ｘ方向へ進行する画像表示光を第二反射面で観察者に向かって導いている。
【先行技術文献】
【特許文献】
【００１１】
【特許文献１】特表２００３−５３６１０２号公報
【特許文献２】国際公開ＷＯ２００５／０８８３８４号
【発明の概要】
【発明が解決しようとする課題】
【００１２】
しかしながら、上述したような眼鏡型ディスプレイにおける出射面では、観察者が観察する虚像の輝度を高くすることができるが、１個のライトガイドで、略Ｘ方向へ進行する画像表示光も、略−Ｘ方向へ進行する画像表示光も反射するため、観察者が観察する虚像に、迷光が混じったり、観察者が観察する光束がない領域が発生したりする問題点があった。
そこで、本発明は、観察者が観察する虚像と外界とに輝度ムラが発生することを抑制することができる表示装置を提供することを目的とする。また、本発明は、観察者が観察する虚像の輝度を高くすることができる表示装置を提供することを目的とする。
【課題を解決するための手段】
【００１３】
上記課題を解決するためになされた本発明の表示装置は、表示領域となる画像を形成して、画像表示光を出射する表示素子を有する出射機構と、観察対象の虚像を形成するために、画像表示光を反射又は透過させる光学系と、第一面と、当該第一面と対向する第二面と、観察者の眼の前方に配置される出射面とを有し、前記第一面及び／又は第二面で光学系からの画像表示光を設定方向へと反射させながら出射面に導き、前記出射面から画像表示光を観察者の眼に導く第一ライトガイドとを備える表示装置であって、第二ライトガイドを備え、前記第一ライトガイドは、前記設定方向における第一ライトガイドの出射面の奥側に第二ライトガイドに画像表示光を導く誘導面を有し、前記第二ライトガイドは、第一面と、当該第一面と対向する第二面と、観察者の眼の前方に配置される出射面とを有し、前記第一面及び／又は第二面で第一ライトガイドからの画像表示光を設定方向と反対となる反対設定方向へと反射させながら出射面に導き、前記出射面から画像表示光を観察者の眼に導き、前記第一ライトガイドにおける出射面からの画像表示光と、前記第二ライトガイドにおける出射面からの画像表示光とが重なるようにして、前記観察者の眼に導くようにしている。
【００１４】
本発明の表示装置によれば、第一ライトガイドと第二ライトガイドとを備える。そして、第一ライトガイドは、設定方向へと画像表示光を反射させながら出射面に導く。さらに、第一ライトガイドにおける出射面を通過した画像表示光は、第二ライトガイドに導かれる。第二ライトガイドは、反対設定方向へと画像表示光を反射させながら出射面に導く。これにより、第一ライトガイドにおける出射面からの画像表示光と、第二ライトガイドにおける出射面からの画像表示光とが重なるようにして、観察者の眼に導かれる。このとき、第一ライトガイドでは、設定方向の順に画像表示光の輝度が小さくなっていくように出射されるが、第二ライトガイドでは、設定方向の順に画像表示光の輝度が大きくなっていくように出射されることになる。
【発明の効果】
【００１５】
以上のように、本発明の表示装置によれば、観察者が観察する虚像と外界とに輝度ムラが発生することを抑制することができる。
【００１６】
（他の課題を解決するための手段および効果）
上記課題を解決するためになされた本発明の表示装置は、表示領域となる画像を形成して、画像表示光を出射する表示素子を有する出射機構と、観察対象の虚像を形成するために、画像表示光を反射又は透過させる光学系と、第一面と、当該第一面と対向する第二面と、観察者の眼の前方に配置される出射面とを有し、前記第一面及び／又は第二面で光学系からの画像表示光を設定方向へと反射させながら出射面に導き、前記出射面から画像表示光を観察者の眼に導く第一ライトガイドとを備える表示装置であって、第二ライトガイドを備え、前記第一ライトガイドは、前記設定方向における第一ライトガイドの出射面の奥側に第二ライトガイドに画像表示光を導く誘導面を有し、前記第二ライトガイドは、第一面と、当該第一面と対向する第二面と、誘導面とを有し、前記第一面及び／又は第二面で第一ライトガイドからの画像表示光を設定方向と反対となる反対設定方向へと反射させながら誘導面に導き、前記誘導面から画像表示光を設定方向における第一ライトガイドの出射面の手前側に導くようにしている。
【００１７】
本発明の表示装置によれば、第一ライトガイドと第二ライトガイドとを備える。そして、第一ライトガイドは、設定方向へと画像表示光を反射させながら出射面に導く。さらに、第一ライトガイドにおける出射面を通過した画像表示光は、第二ライトガイドに導かれる。第二ライトガイドは、反対設定方向へと反射させながら誘導面に導く。これにより、第一ライトガイドにおける出射面を通過した画像表示光が、第二ライトガイドの誘導面を介して第一ライトガイドに戻ることになる。
以上のように、本発明の表示装置によれば、観察者が観察する虚像の輝度を高くすることができる。
【００１８】
また、上記の発明において、前記第二ライトガイドは、前記反対設定方向における第二ライトガイドの出射面の奥側に、設定方向における第一ライトガイドの出射面の手前側に画像表示光を導く誘導面を有するようにしてもよい。
また、上記の発明において、前記第一ライトガイドにおける出射面は、前記設定方向において順番となるようにＮ個の出射面を有し、前記第二ライトガイドにおける出射面は、前記反対設定方向において順番となるようにＮ個の出射面を有し、前記第一ライトガイドにおける第ｎ番目の出射面からの画像表示光と、前記第二ライトガイドにおける第（Ｎ＋１−ｎ）番目の出射面からの画像表示光とが重なるようにして、前記観察者の眼に導くようにしてもよい。
また、上記の発明において、前記第一ライトガイドにおけるＮ個の出射面と、前記第二ライトガイドにおけるＮ個の出射面とは、同一の反射率を有するようにしてもよい。
【００１９】
さらに、上記の発明において、前記第一ライトガイド及び第二ライトガイドにおける出射面は、回折面であるようにしてもよい。
そして、上記の発明において、前記表示素子は、Ｐ偏光又はＳ偏光の画像表示光を出射し、前記第一ライトガイドは、前記設定方向における第一ライトガイドの出射面の手前側に、前記第二ライトガイドからの画像表示光が導かれる偏光変換面と、前記表示素子からの画像表示光が導かれる偏光ビームスピリッタ面とをこの順に有するようにしてもよい。
【図面の簡単な説明】
【００２０】
【図１】本発明の一実施形態である眼鏡型ディスプレイの概略構成を示す光路図である。
【図２】本発明の一実施形態である眼鏡型ディスプレイの概略構成を示す光路図である。
【図３】本発明の一実施形態である眼鏡型ディスプレイの概略構成を示す光路図である。
【図４】本発明の一実施形態である眼鏡型ディスプレイの概略構成を示す光路図である。
【図５】観察者の頭部に装着される従来の眼鏡型ディスプレイを示す外観図である。
【図６】観察者の頭部に装着される従来の眼鏡型ディスプレイの概略構成を示す光路図である。
【発明を実施するための形態】
【００２１】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００２２】
＜実施形態１＞
図１は、本発明の一実施形態である眼鏡型ディスプレイ（表示装置）の概略構成を示す光路図である。なお、上述した眼鏡型ディスプレイ４０１と同様のものについては、同じ符号を付している。
眼鏡型ディスプレイ１は、画像表示光Ｌを出射するユニット部Ｕと、ユニット部Ｕからの画像表示光Ｌを内部で反射させながら観察者の眼Ｅに導く基板である第一ライトガイド４及び第二ライトガイド５と、ユニット部Ｕと第一ライトガイド４と第二ライトガイド５とが取り付けられるフレーム部Ｆとを備える。
第二ライトガイド５は、第一ライトガイド４の前方（Ｚ方向）に配置される。
【００２３】
第一ライトガイド４は、ポリカーボネイト製（屈折率ｎｇ）の平板形状となり、一端部に形成され出射機構Ｓの前方（Ｚ方向）に配置される平面形状の全反射面４１と、他端部に形成される平面形状の全反射面（誘導面）４３と、全反射面４１と全反射面４３との間に形成され観察者の眼Ｅの前方（Ｚ方向）に配置される出射面４２と、空気との界面によって全反射面４１と全反射面４３との間に形成される側面群４６とを有する。
側面群４６は、Ｘ方向（設定方向）から見ると四角形状となり、第一面４６ａと、第一面４６ａとＺ方向で対向する第二面４６ｂと、第三面（図示せず）と、第三面とＹ方向で対向する第四面（図示せず）とを有する。
【００２４】
出射面４２は、平面形状の第一出射面４２ａと、平面形状の第二出射面４２ｂと、平面形状の第三出射面４２ｃとを有する。そして、Ｘ方向（設定方向）において順番に、第一出射面４２ａと、第二出射面４２ｂと、第三出射面４２ｃとなるように配置されている。さらに、Ｘ方向に対する第一出射面４２ａの角度と、Ｘ方向に対する第二出射面４２ｂの角度と、Ｘ方向に対する第三出射面４２ｃの角度とは、Ｙ方向から見ると同じθ１となるように配置されている。
そして、第一出射面４２ａと第二出射面４２ｂと第三出射面４２ｃとは、入射した画像表示光Ｌの光束の１０％を反射するとともに、画像表示光Ｌの光束の９０％を透過することが可能となっている。
【００２５】
全反射面４３は、Ｘ方向（設定方向）において最後に配置されている。そして、全反射面４３は、入射した画像表示光Ｌを第二ライトガイド５に向かって反射することが可能となっている。これにより、第一出射面４２ａと第二出射面４２ｂと第三出射面４２ｃとの全ての出射面を透過した画像表示光Ｌが、第二ライトガイド５に向かって導かれることになる。
【００２６】
第二ライトガイド５は、ポリカーボネイト製（屈折率ｎｇ）の平板形状となり、一端部に形成され全反射面４３の前方（Ｚ方向）に配置される平面形状の全反射面５３と、観察者の眼Ｅの前方（Ｚ方向）に配置される出射面５２と、空気との界面によって形成される側面群５６とを有する。
側面群５６は、Ｘ方向（設定方向）から見ると四角形状となり、第一面５６ａと、第一面５６ａとＺ方向で対向する第二面５６ｂと、第三面（図示せず）と、第三面とＹ方向で対向する第四面（図示せず）とを有する。そして、第二ライトガイド５の第二面５６ｂと、第一ライトガイド４の第二面４６ｂとが対向するように配置されている。
【００２７】
出射面５２は、平面形状の第一出射面５２ｃと、平面形状の第二出射面５２ｂと、平面形状の第三出射面５２ａとを有する。そして、―Ｘ方向（反対設定方向）において順番に、第一出射面５２ｃと、第二出射面５２ｂと、第三出射面５２ａとなるように配置されている。さらに、―Ｘ方向（反対設定方向）に対する第一出射面５２ｃの角度と、―Ｘ方向に対する第二出射面５２ｂの角度と、―Ｘ方向に対する第三出射面５２ａの角度とは、Ｙ方向から見ると同じθ２となるように配置されている。
そして、第一出射面５２ｃと第二出射面５２ｂと第三出射面５２ａとは、入射した画像表示光Ｌの光束の１０％を反射するとともに、画像表示光Ｌの光束の９０％を透過することが可能となっている。
【００２８】
このような眼鏡型ディスプレイ１において、第一ライトガイド４の全反射面４１は、光学系３からの表示領域（Ｘ１×Ｙ１）の画像表示光Ｌを略Ｘ方向へと反射させる。そして、第一面４６ａと第二面４６ｂとは、表示領域（Ｘ１×Ｙ１）の画像表示光Ｌを交互に複数回反射させながら、第一出射面４２ａに導く。そこで、第一出射面４２ａは、入射した画像表示光Ｌの光束の１０％を反射するとともに、画像表示光Ｌの光束の９０％を透過する。つまり、画像表示光Ｌの光束の１０％である画像表示光Ｌａの光束を観察者に向かって導く。また、第一出射面４２ａを透過した画像表示光Ｌは、第二出射面４２ｂに到達する。そこで、第二出射面４２ｂは、入射した画像表示光Ｌの光束の１０％を反射するとともに、画像表示光Ｌの光束の９０％を透過する。つまり、画像表示光Ｌの光束の９％である画像表示光Ｌｂの光束を観察者に向かって導く。さらに、第二出射面４２ｂを透過した画像表示光Ｌは、第三出射面４２ｃに到達する。そこで、第三出射面４２ｃは、入射した画像表示光Ｌの光束の１０％を反射するとともに、画像表示光Ｌの光束の９０％を透過する。つまり、画像表示光Ｌの光束の８．１％である画像表示光Ｌｃの光束を観察者に向かって導く。
その後、第三出射面４２ｂを透過した画像表示光Ｌは、全反射面４３に到達する。そこで、全反射面４３は、入射した画像表示光Ｌを第二ライトガイド５の全反射面５３に向かって反射する。
【００２９】
第二ライトガイド５の全反射面５３は、第一ライトガイド４からの表示領域（Ｘ１×Ｙ１）の画像表示光Ｌを略−Ｘ方向へと反射させる。そして、第一面５６ａと第二面５６ｂとは、表示領域（Ｘ１×Ｙ１）の画像表示光Ｌを交互に複数回反射させながら、第一出射面５２ｃに導く。そこで、第一出射面５２ｃは、入射した画像表示光Ｌの光束の１０％を反射するとともに、画像表示光Ｌの光束の９０％を透過する。つまり、画像表示光Ｌの光束の６．６％である画像表示光Ｌｄの光束を第一ライトガイド４の第三出射面４２ｃを通して観察者に向かって導く。このとき、画像表示光Ｌｄと画像表示光Ｌｃとが重なることにより、画像表示光Ｌの光束の１４．７％である画像表示光の光束が観察者に向かって導かれることになる。また、第一出射面５２ｃを透過した画像表示光Ｌは、第二出射面５２ｂに到達する。そこで、第二出射面５２ｂは、入射した画像表示光Ｌの光束の１０％を反射するとともに、画像表示光Ｌの光束の９０％を透過する。つまり、画像表示光Ｌの光束の５．９％である画像表示光Ｌｅの光束を第一ライトガイド４の第二出射面４２ｂを通して観察者に向かって導く。このとき、画像表示光Ｌｂと画像表示光Ｌｅとが重なることにより、画像表示光Ｌの光束の１４．９％である画像表示光の光束が観察者に向かって導かれることになる。さらに、第二出射面５２ｂを透過した画像表示光Ｌは、第三出射面５２ａに到達する。そこで、第三出射面５２ａは、入射した画像表示光Ｌの光束の１０％を反射するとともに、画像表示光Ｌの光束の９０％を透過する。つまり、画像表示光Ｌの光束の５．３％である画像表示光Ｌｆの光束を第一ライトガイド４の第一出射面４２ａを通して観察者に向かって導く。このとき、画像表示光Ｌａと画像表示光Ｌｆとが重なることにより、画像表示光Ｌの光束の１５．３％である画像表示光の光束が観察者に向かって導かれることになる。
このように各出射面４２ａ、４２ｂ、４２ｃ、５２ａ、５２ｂ、５２ｃが画像表示光Ｌを反射させることにより、第一ライトガイド４と第二ライトガイド５との外部に、表示領域（Ｘ１×Ｙ１）の画像表示光Ｌを出射させる。その結果、出射機構Ｓから出射される画像表示光Ｌは、第一ライトガイド４と第二ライトガイド５とを介して、観察者の眼Ｅに導かれる。
なお、観察者は、第一ライトガイド４の出射面４２ａ〜４２ｃ及び第二ライトガイド５の出射面５２ａ〜５２ｃを通して外界を視認するため、外界光の透過率は８１％均一となる。
【００３０】
以上のように、眼鏡型ディスプレイ１によれば、観察者が観察する虚像と外界とに輝度ムラが発生することを抑制することができる。
【００３１】
＜実施形態２＞
図２は、本発明の一実施形態である眼鏡型ディスプレイ（表示装置）の概略構成を示す光路図である。なお、上述した眼鏡型ディスプレイ４０１と同様のものについては、同じ符号を付している。
眼鏡型ディスプレイ１０１は、画像表示光Ｌを出射するユニット部Ｕと、ユニット部Ｕからの画像表示光Ｌを内部で反射させながら観察者の眼Ｅに導く基板である第一ライトガイド１０４及び第二ライトガイド１０５と、ユニット部Ｕと第一ライトガイド１０４と第二ライトガイド１０５とが取り付けられるフレーム部Ｆとを備える。
第二ライトガイド１０５は、第一ライトガイド１０４の前方（Ｚ方向）に配置される。
ユニット部Ｕは、出射方向に垂直である面に表示領域（Ｘ１×Ｙ１）となる画像を形成して、画像表示光Ｌを出射する透過型液晶表示器（表示素子）１０２を有する出射機構Ｓと、観察対象の虚像を形成する光学系３とを備える。
出射機構Ｓは、光源（図示せず）と、透過型液晶表示器１０２とを備える。透過型液晶表示器１０２は、制御部（図示せず）からの画像信号に基づいて、出射方向に垂直である面に表示領域（Ｘ１×Ｙ１）となる画像を形成し、そのＳ偏光の画像表示光Ｌを出射する。
【００３２】
第一ライトガイド１０４は、ポリカーボネイト製（屈折率ｎｇ）の平板形状となり、一端部に形成され出射機構Ｓの前方（Ｚ方向）に配置される平面形状の偏光ビームスプリッタ面１４１と、一端部に形成される平面形状の全反射面１４４と、全反射面１４４と偏光ビームスプリッタ面１４１との間に形成される平面形状の偏光変換面１４５と、他端部に形成される平面形状の全反射面（誘導面）１４３と、偏光ビームスプリッタ面１４１と全反射面１４３との間に形成され観察者の眼Ｅの前方（Ｚ方向）に配置される出射面１４２と、空気との界面によって全反射面１４４と全反射面１４３との間に形成される側面群１４６とを有する。
側面群１４６は、Ｘ方向（設定方向）から見ると四角形状となり、第一面１４６ａと、第一面１４６ａとＺ方向で対向する第二面１４６ｂと、第三面（図示せず）と、第三面とＹ方向で対向する第四面（図示せず）とを有する。
【００３３】
出射面１４２は、平面形状の第一出射面１４２ａと、平面形状の第二出射面１４２ｂと、平面形状の第三出射面１４２ｃとを有する。そして、Ｘ方向（設定方向）において順番に、第一出射面１４２ａと、第二出射面１４２ｂと、第三出射面１４２ｃとなるように配置されている。さらに、Ｘ方向（設定方向）に対する第一出射面１４２ａの角度と、Ｘ方向に対する第二出射面１４２ｂの角度と、Ｘ方向に対する第三出射面１４２ｃの角度とは、Ｙ方向から見ると同じθ１となるように配置されている。
そして、第一出射面１４２ａと第二出射面１４２ｂと第三出射面１４２ｃとは、入射した画像表示光Ｌの光束の１９％を反射するとともに、画像表示光Ｌの光束の８１％を透過することが可能となっている。
【００３４】
偏光ビームスプリッタ面１４１は、Ｓ偏光の画像表示光Ｌを反射するとともに、Ｐ偏光の画像表示光Ｌを透過する機能を有する。
偏光変換面１４５は、Ｓ偏光の画像表示光Ｌを、Ｐ偏光の画像表示光Ｌに変換する機能を有する。
全反射面１４３は、Ｘ方向（設定方向）において最後に配置されている。そして、全反射面１４３は、入射した画像表示光Ｌを第二ライトガイド１０５に向かって反射することが可能となっている。これにより、第一出射面１４２ａと第二出射面１４２ｂと第三出射面１４２ｃとの全ての出射面を透過した画像表示光Ｌが、第二ライトガイド１０５に向かって導かれることになる。
【００３５】
第二ライトガイド１０５は、ポリカーボネイト製（屈折率ｎｇ）の平板形状となり、一端部に形成され全反射面１４３の前方（Ｚ方向）に配置される平面形状の全反射面１５３と、他端部に形成され全反射面１４４の前方（Ｚ方向）に配置される平面形状の全反射面１５４と、空気との界面によって全反射面１５３と全反射面１５４との間に形成される側面群１５６とを有する。
側面群１５６は、Ｘ方向（設定方向）から見ると四角形状となり、第一面１５６ａと、第一面１５６ａとＺ方向で対向する第二面１５６ｂと、第三面（図示せず）と、第三面とＹ方向で対向する第四面（図示せず）とを有する。そして、第二ライトガイド１０５の第二面１５６ｂと、第一ライトガイド１０４の第二面１４６ｂとが対向するように配置されている。
【００３６】
このような眼鏡型ディスプレイ１０１において、第一ライトガイド１０４の偏光ビームスプリッタ面１４１は、光学系３からのＳ偏光の表示領域（Ｘ１×Ｙ１）の画像表示光Ｌを略Ｘ方向へと反射させる。そして、第一面１４６ａと第二面１４６ｂとは、表示領域（Ｘ１×Ｙ１）の画像表示光Ｌを交互に複数回反射させながら、第一出射面１４２ａに導く。そこで、第一出射面１４２ａは、入射した画像表示光Ｌの光束の１９％を反射するとともに、画像表示光Ｌの光束の８１％を透過する。つまり、画像表示光Ｌの光束の１９．０％である画像表示光Ｌａの光束を観察者に向かって導く。また、第一出射面１４２ａを透過した画像表示光Ｌは、第二出射面１４２ｂに到達する。そこで、第二出射面１４２ｂは、入射した画像表示光Ｌの光束の１９％を反射するとともに、画像表示光Ｌの光束の８１％を透過する。つまり、画像表示光Ｌの光束の１５．４％である画像表示光Ｌｂの光束を観察者に向かって導く。さらに、第二出射面１４２ｂを透過した画像表示光Ｌは、第三出射面１４２ｃに到達する。そこで、第三出射面１４２ｃは、入射した画像表示光Ｌの光束の１９％を反射するとともに、画像表示光Ｌの光束の８１％を透過する。つまり、画像表示光Ｌの光束の１２．５％である画像表示光Ｌｃの光束を観察者に向かって導く。
その後、第三出射面１４２ｂを透過した画像表示光Ｌは、全反射面１４３に到達する。そこで、全反射面１４３は、入射した画像表示光Ｌを第二ライトガイド１０５の全反射面１５３に向かって反射する。
【００３７】
第二ライトガイド１０５の全反射面１５３は、第一ライトガイド１０４からの表示領域（Ｘ１×Ｙ１）の画像表示光Ｌを略−Ｘ方向へと反射させる。そして、第一面１５６ａと第二面１５６ｂとは、表示領域（Ｘ１×Ｙ１）の画像表示光Ｌを交互に複数回反射させながら、全反射面１５４に導く。そこで、全反射面１５４は、入射した画像表示光Ｌを第一ライトガイド１０４の全反射面１４４に向かって反射する。その後、第一ライトガイド１０４の全反射面１４４は、画像表示光Ｌを略Ｘ方向へと反射させ、偏光変換面１４５に導く。そこで、偏光変換面１４５は、Ｓ偏光の表示領域（Ｘ１×Ｙ１）の画像表示光Ｌを、Ｐ偏光の表示領域（Ｘ１×Ｙ１）の画像表示光Ｌに変換する。これにより、偏光変換面１４５を通過した画像表示光Ｌは、偏光ビームスプリッタ面１４１を透過して、再び上述したように第一ライトガイド１０４の出射面１４２に到達することになる。つまり、１回目の画像表示光Ｌａと、２回目の画像表示光Ｌａとが重なることにより、画像表示光Ｌの光束の２９．１％である画像表示光の光束が観察者に向かって導かれることになる。また、１回目の画像表示光Ｌｂと、２回目の画像表示光Ｌｂとが重なることにより、画像表示光Ｌの光束の２３．６％である画像表示光の光束が観察者に向かって導かれることになる。さらに、１回目の画像表示光Ｌｃと、２回目の画像表示光Ｌｃとが重なることにより、画像表示光Ｌの光束の１９．１％である画像表示光の光束が観察者に向かって導かれることになる。
このように各出射面１４２ａ、１４２ｂ、１４２ｃが画像表示光Ｌを反射させることにより、第一ライトガイド１０４の外部に、表示領域（Ｘ１×Ｙ１）の画像表示光Ｌを出射させる。その結果、出射機構Ｓから出射される画像表示光Ｌは、第一ライトガイド１０４を介して、観察者の眼Ｅに導かれる。
なお、観察者は、第一ライトガイド１０４の出射面１４２ａ〜１４２ｃを通して外界を視認するため、外界光の透過率は８１％均一となる。
【００３８】
以上のように、眼鏡型ディスプレイ１０１によれば、観察者が観察する虚像の輝度を高くすることができる。
【００３９】
＜実施形態３＞
図３は、本発明の一実施形態である眼鏡型ディスプレイ（表示装置）の概略構成を示す光路図である。なお、上述した眼鏡型ディスプレイ１０１と同様のものについては、同じ符号を付している。
眼鏡型ディスプレイ２０１は、画像表示光Ｌを出射するユニット部Ｕと、ユニット部Ｕからの画像表示光Ｌを内部で反射させながら観察者の眼Ｅに導く基板である第一ライトガイド１０４及び第二ライトガイド２０５と、ユニット部Ｕと第一ライトガイド１０４と第二ライトガイド２０５とが取り付けられるフレーム部Ｆとを備える。
第二ライトガイド２０５は、第一ライトガイド１０４の前方（Ｚ方向）に配置される。
【００４０】
第二ライトガイド２０５は、ポリカーボネイト製（屈折率ｎｇ）の平板形状となり、一端部に形成され全反射面１４３の前方（Ｚ方向）に配置される平面形状の全反射面２５３と、他端部に形成され全反射面１４４の前方（Ｚ方向）に配置される平面形状の全反射面２５４と、全反射面２５３と全反射面２５４との間に形成され観察者の眼Ｅの前方（Ｚ方向）に配置される出射面２５２と、空気との界面によって全反射面２５３と全反射面２５４との間に形成される側面群２５６とを有する。
側面群２５６は、Ｘ方向（設定方向）から見ると四角形状となり、第一面２５６ａと、第一面２５６ａとＺ方向で対向する第二面２５６ｂと、第三面（図示せず）と、第三面とＹ方向で対向する第四面（図示せず）とを有する。そして、第二ライトガイド２０５の第二面２５６ｂと、第一ライトガイド１０４の第二面１４６ｂとが対向するように配置されている。
【００４１】
出射面２５２は、平面形状の第一出射面２５２ｃと、平面形状の第二出射面２５２ｂと、平面形状の第三出射面２５２ａとを有する。そして、−Ｘ方向（反対設定方向）において順番に、第一出射面２５２ｃと第二出射面２５２ｂと第三出射面２５２ａとなるように配置されている。さらに、Ｘ方向（設定方向）に対する第一出射面２５２ｃの角度と、Ｘ方向に対する第二出射面２５２ｂの角度と、Ｘ方向に対する第三出射面２５２ａの角度とは、Ｙ方向から見ると同じθ２となるように配置されている。
そして、第一出射面２５２ｃと第二出射面２５２ｂと第三出射面２５２ａとは、入射した画像表示光Ｌの光束の１０％を反射するとともに、画像表示光Ｌの光束の９０％を透過することが可能となっている。
【００４２】
全反射面２５４は、―Ｘ方向（反対設定方向）において最後に配置されている。そして、全反射面２５４は、入射した画像表示光Ｌを第一ライトガイド１０４に向かって反射することが可能となっている。これにより、第一出射面２５２ｃと第二出射面２５２ｂと第三出射面２５２ａとの全ての出射面２５２を透過した画像表示光Ｌが、第一ライトガイド１０４に向かって反射されることになる。
【００４３】
このような眼鏡型ディスプレイ２０１において、第一ライトガイド１０４の偏光ビームスプリッタ面１４１は、光学系３からのＳ偏光の表示領域（Ｘ１×Ｙ１）の画像表示光Ｌを略Ｘ方向へと反射させる。そして、第一面１４６ａと第二面１４６ｂとは、表示領域（Ｘ１×Ｙ１）の画像表示光Ｌを交互に複数回反射させながら、第一出射面１４２ａに導く。そこで、第一出射面１４２ａは、入射した画像表示光Ｌの光束の１０％を反射するとともに、画像表示光Ｌの光束の９０％を透過する。つまり、画像表示光Ｌの光束の１０％である画像表示光Ｌａの光束を観察者に向かって導く。また、第一出射面１４２ａを透過した画像表示光Ｌは、第二出射面１４２ｂに到達する。そこで、第二出射面１４２ｂは、入射した画像表示光Ｌの光束の１０％を反射するとともに、画像表示光Ｌの光束の９０％を透過する。つまり、画像表示光Ｌの光束の９％である画像表示光Ｌｂの光束を観察者に向かって導く。さらに、第二出射面１４２ｂを透過した画像表示光Ｌは、第三出射面１４２ｃに到達する。そこで、第三出射面１４２ｃは、入射した画像表示光Ｌの光束の１０％を反射するとともに、画像表示光Ｌの光束の９０％を透過する。つまり、画像表示光Ｌの光束の８．１％である画像表示光Ｌｃの光束を観察者に向かって導く。
その後、第三出射面１４２ｂを透過した画像表示光Ｌは、全反射面１４３に到達する。そこで、全反射面１４３は、入射した画像表示光Ｌを第二ライトガイド２０５の全反射面２５３に向かって反射する。
【００４４】
第二ライトガイド２０５の全反射面２５３は、第一ライトガイド１０４からの表示領域（Ｘ１×Ｙ１）の画像表示光Ｌを略−Ｘ方向へと反射させる。そして、第一面２５６ａと第二面２５６ｂとは、表示領域（Ｘ１×Ｙ１）の画像表示光Ｌを交互に複数回反射させながら、第一出射面２５２ｃに導く。そこで、第一出射面２５２ｃは、入射した画像表示光Ｌの光束の１０％を反射するとともに、画像表示光Ｌの光束の９０％を透過する。つまり、画像表示光Ｌの光束の６．６％である画像表示光Ｌｄの光束を第一ライトガイド１０４の第三出射面１４２ｃを通して観察者に向かって導く。このとき、画像表示光Ｌｄと画像表示光Ｌｃとが重なることにより、画像表示光Ｌの光束の１４．７％である画像表示光の光束が観察者に向かって導かれることになる。また、第一出射面２５２ｃを透過した画像表示光Ｌは、第二出射面２５２ｂに到達する。そこで、第二出射面２５２ｂは、入射した画像表示光Ｌの光束の１０％を反射するとともに、画像表示光Ｌの光束の９０％を透過する。つまり、画像表示光Ｌの光束の５．９％である画像表示光Ｌｅの光束を第一ライトガイド１０４の第二出射面１４２ｂを通して観察者に向かって導く。このとき、画像表示光Ｌｂと画像表示光Ｌｅとが重なることにより、画像表示光Ｌの光束の１４．９％である画像表示光の光束が観察者に向かって導かれることになる。さらに、第二出射面２５２ｂを透過した画像表示光Ｌは、第三出射面２５２ａに到達する。そこで、第三出射面２５２ａは、入射した画像表示光Ｌの光束の１０％を反射するとともに、画像表示光Ｌの光束の９０％を透過する。つまり、画像表示光Ｌの光束の５．３％である画像表示光Ｌｆの光束を第一ライトガイド１０４の第一出射面１４２ａを通して観察者に向かって導く。このとき、画像表示光Ｌａと画像表示光Ｌｆとが重なることにより、画像表示光Ｌの光束の１５．３％である画像表示光の光束が観察者に向かって導かれることになる。
【００４５】
その後、第三出射面２５２ａを透過した画像表示光Ｌは、全反射面２５４に到達する。そこで、全反射面２５４は、入射した画像表示光Ｌを第一ライトガイド１０４の全反射面１４４に向かって反射する。これにより、第一ライトガイド１０４の全反射面１４４は、画像表示光Ｌを略Ｘ方向へと反射させ、再び上述したように第一ライトガイド１０４の出射面１４２に到達することになる。つまり、１回目の画像表示光Ｌａ、Ｌｆと、２回目の画像表示光Ｌａ、Ｌｆとが重なることにより、画像表示光Ｌの光束の２３．５％である画像表示光の光束が観察者に向かって導かれることになる。また、１回目の画像表示光Ｌｂ、Ｌｅと、２回目の画像表示光Ｌｂ、Ｌｅとが重なることにより、画像表示光Ｌの光束の ２２．８％である画像表示光の光束が観察者に向かって導かれることになる。さらに、１回目の画像表示光Ｌｃ、Ｌｄと、２回目の画像表示光Ｌｃ、Ｌｄとが重なることにより、画像表示光Ｌの光束の２２．５％である画像表示光の光束が観察者に向かって導かれることになる。
このように各出射面１４２ａ、１４２ｂ、１４２ｃ、２５２ａ、２５２ｂ、２５２ｃが画像表示光Ｌを反射させることにより、第一ライトガイド１０４と第二ライトガイド２０５との外部に、表示領域（Ｘ１×Ｙ１）の画像表示光Ｌを出射させる。その結果、出射機構Ｓから出射される画像表示光Ｌは、第一ライトガイド１０４と第二ライトガイド２０５とを介して、観察者の眼Ｅに導かれる。
なお、観察者は、第一ライトガイド１０４の出射面１４２ａ〜１４２ｃ及び第二ライトガイド２０５の出射面２５２ａ〜２５２ｃを通して外界を視認するため、外界光の透過率は８１％均一となる。
【００４６】
以上のように、眼鏡型ディスプレイ２０１によれば、観察者が観察する虚像と外界とに輝度ムラが発生することを抑制することができる。
【００４７】
＜実施形態４＞
図４は、本発明の一実施形態である眼鏡型ディスプレイ（表示装置）の概略構成を示す光路図である。なお、上述した眼鏡型ディスプレイ４０１と同様のものについては、同じ符号を付している。
眼鏡型ディスプレイ３０１は、画像表示光Ｌを出射するユニット部Ｕと、ユニット部Ｕからの画像表示光Ｌを内部で反射させながら観察者の眼Ｅに導く基板である第一ライトガイド３０４及び第二ライトガイド３０５と、ユニット部Ｕと第一ライトガイド３０４と第二ライトガイド３０５とが取り付けられるフレーム部Ｆとを備える。
第二ライトガイド３０５は、第一ライトガイド３０４の前方（Ｚ方向）に配置される。
【００４８】
第一ライトガイド３０４は、ポリカーボネイト製（屈折率ｎｇ）の平板形状となり、一端部に形成され出射機構Ｓの前方（Ｚ方向）に配置される平面形状の回折面３４１と、他端部に形成される平面形状の回折面３４３と、回折面３４１と回折面３４３との間に形成され観察者の眼Ｅの前方（Ｚ方向）に配置される平面形状の回折面（出射面）３４２と、空気との界面によって回折面３４１と回折面３４３との間に形成される側面群３４６とを有する。
側面群３４６は、Ｘ方向（設定方向）から見ると四角形状となり、第一面３４６ａと、第一面３４６ａとＺ方向で対向する第二面３４６ｂと、第三面ａ（図示せず）と、第三面とＹ方向で対向する第四面（図示せず）とを有する。
【００４９】
回折面３４１は、第二面３４６ｂに形成され、入射した画像表示光Ｌを略Ｘ方向（設定方向）に導くことが可能となっている。
回折面３４２は、第二面３４６ｂに形成され、入射した画像表示光Ｌの光束の１０％を観察者に向かって導くとともに、画像表示光Ｌの光束の９０％を正反射することが可能となっている。
回折面３４３は、第二面３４６ｂに形成され、Ｘ方向（設定方向）において最後（奥側）に配置されている。そして、回折面３４３は、入射した画像表示光Ｌを第二ライトガイド３０５に向かって導くことが可能となっている。これにより、回折面３４２によって観察者に向かって導かれなかった画像表示光Ｌが、第二ライトガイド３０５に向かって導かれることになる。
【００５０】
第二ライトガイド３０５は、ポリカーボネイト製（屈折率ｎｇ）の平板形状となり、一端部に形成され回折面３４３の前方（Ｚ方向）に配置される平面形状の回折面３５３と、観察者の眼Ｅの前方（Ｚ方向）に配置される平面形状の回折面（出射面）３５２と、空気との界面によって形成される側面群３５６とを有する。
側面群３５６は、Ｘ方向（設定方向）から見ると四角形状となり、第一面３５６ａと、第一面３５６ａとＺ方向で対向する第二面３５６ｂと、第三面（図示せず）と、第三面とＹ方向で対向する第四面（図示せず）とを有する。そして、第二ライトガイド３０５の第二面３５６ｂと、第一ライトガイド３０４の第二面３４６ｂとが対向するように配置されている。
【００５１】
回折面３５３は、第二面３５６ｂに形成され、入射した画像表示光Ｌを略−Ｘ方向（反対設定方向）に導くことが可能となっている。
回折面３５２は、第二面３５６ｂに形成され、入射した画像表示光Ｌの光束の１０％を観察者に向かって導くとともに、画像表示光Ｌの光束の９０％を正反射することが可能となっている。
【００５２】
このような眼鏡型ディスプレイ３０１において、第一ライトガイド３０４の回折面３４１は、光学系３からの表示領域（Ｘ１×Ｙ１）の画像表示光Ｌを略Ｘ方向へと反射させる。そして、第一面３４６ａと第二面３４６ｂとは、表示領域（Ｘ１×Ｙ１）の画像表示光Ｌを交互に複数回反射させながら、回折面３４２の第一部分に導く。そこで、回折面３４２の第一部分は、入射した画像表示光Ｌの光束の１０％を観察者に向かって導くとともに、画像表示光Ｌの光束の９０％を正反射する。また、回折面３４２を反射した画像表示光Ｌは、回折面３４２の第二部分に到達する。そこで、回折面３４２の第二部分は、入射した画像表示光Ｌの光束の１０％を観察者に向かって導くとともに、画像表示光Ｌの光束の９０％を正反射する。さらに、回折面３４２の第二部分を正反射した画像表示光Ｌは、回折面３４２の次の部分に到達していく。
その後、回折面３４２を通過した画像表示光Ｌは、回折面３４３に到達する。そこで、回折面３４３は、入射した画像表示光Ｌを第二ライトガイド３０５の回折面３５３に向かって導く。
【００５３】
第二ライトガイド３０５の回折面３５３は、第一ライトガイド３０４からの表示領域（Ｘ１×Ｙ１）の画像表示光Ｌを略−Ｘ方向へと反射させる。そして、第一面３５６ａと第二面３５６ｂとは、表示領域（Ｘ１×Ｙ１）の画像表示光Ｌを交互に複数回反射させながら、回折面３５２の第一部分に導く。そこで、回折面３５２の第一部分は、入射した画像表示光Ｌの光束の１０％を観察者に向かって導くとともに、画像表示光Ｌの光束の９０％を正反射する。このとき、画像表示光Ｌｄと画像表示光Ｌｃとが重なった画像表示光の光束が観察者に向かって導かれることになる。また、回折面３５２の第一部分を反射した画像表示光Ｌは、回折面３５２の第二部分に到達する。そこで、回折面３５２の第二部分は、入射した画像表示光Ｌの光束の１０％を観察者に向かって導くとともに、画像表示光Ｌの光束の９０％を正反射する。このとき、画像表示光Ｌｂと画像表示光Ｌｅとが重なった画像表示光Ｌの光束が観察者に向かって導かれることになる。さらに、回折面３５２の第二部分を正反射した画像表示光Ｌは、回折面３５２の次の部分に到達していく。
このように各回折面３４２、３５２が画像表示光Ｌを反射させることにより、第一ライトガイド３０４と第二ライトガイド３０５との外部に、表示領域（Ｘ１×Ｙ１）の画像表示光Ｌを出射させる。その結果、出射機構Ｓから出射される画像表示光Ｌは、第一ライトガイド３０４と第二ライトガイド３０５とを介して、観察者の眼Ｅに導かれる。
なお、観察者は、第一ライトガイド３０４の回折面３４２及び第二ライトガイド３０５の回折面３５２を通して外界を視認するため、外界光の透過率は８１％均一となる。
【００５４】
以上のように、眼鏡型ディスプレイ３０１によれば、観察者が観察する虚像と外界とに輝度ムラが発生することを抑制することができる。
【００５５】
（他の実施形態）
上述した眼鏡型ディスプレイは、観察者の頭部や腕等の身体や、身体に装着されるヘルメットや眼鏡等に、ヘッドセット、ベルト、バンド、クリップ等を介して装着されたり、携帯電話や腕時計等の各種携帯機器に装着されたり、手に持った状態で使用されたりしてもよい。また、観察者に装着されるヘッドマウントディスプレイのような形態に限らず、観察者の前方に設置するヘッドアップディスプレイのような形態であってもよい。
上記透過型液晶表示器は、カラーフィルタを内蔵することでカラー画像を形成するものであってもよく、カラーフィルタのないモノクロ画像を形成するものであってもよい。
また、Ｒ（赤）、Ｇ（緑）、Ｂ（青）の３色光を時分割発光する光源と、フィールドシーケンシャル駆動されてＲ（赤）、Ｇ（緑）、Ｂ（青）用のモノクロ画像を時分割に形成する透過型液晶表示器とを組み合わせることにより、観察対象の虚像をカラー表示してもよい。
【００５６】
また、表示素子としては、画像表示光を直接に出射する自発光型表示器が用いられてもよいし、反射型表示器と、その反射型表示器を照明するための素子とで構成されてもよい。
また、画像表示光を観察者の両方の眼に導くようにしてもよい。
また、上述した眼鏡型ディスプレイにおいて、Ｘ方向と設定方向とは一致するような構成を示したが、Ｘ方向と設定方向とは一致しないような構成としてもよく、Ｙ方向と設定方向とが一致するような構成としてもよく、設定方向は任意の一方向とすることができる。
上記ライトガイドを形成する材料としては、例えば、ポリカーボネイト、ポリメタクリル酸（ＰＭＭＡ）、シクロオレフィン、硝材等が挙げられる。
また、第一ライトガイドと第二ライトガイドとの間に、第一ライトガイドと第二ライトガイドとの屈折率より低い屈折率を有す媒質が配置されてもよい。
また、第一ライトガイド３０４と第二ライトガイド３０５との各回折面３４２、３５２は、第一面（３４６ａ、３５６ａ）に形成されてもよい。
【産業上の利用可能性】
【００５７】
本発明は、卓上以外の環境で使用する情報機器等に利用することができる。
【符号の説明】
【００５８】
１、１０１、２０１、３０１、４０１  眼鏡型ディスプレイ（表示装置）
２、１０２  透過型液晶表示器（表示素子）
３  光学系
４、１０４、３０４  第一ライトガイド
５、１０５、２０５、３０５  第二ライトガイド
４２、１４２  出射面
３４２  回折面（出射面）
４２ａ、１４２ａ  第一出射面
４２ｂ、１４２ｂ  第二出射面
４２ｃ、１４２ｃ  第三出射面
４３、１４３、３４３  全反射面（誘導面）
４６ａ、１４６ａ、３４６ａ  第一面
４６ｂ、１４６ｂ、３４６ｂ  第二面
５２、２５２  出射面
３５２  回折面（出射面）
５２ａ、２５２ａ  第三出射面
５２ｂ、２５２ｂ  第二出射面
５２ｃ、２５２ｃ  第一出射面
５６ａ、１５６ａ、２５６ａ、３５６ａ  第一面
５６ｂ、１５６ｂ、２５６ｂ、３５６ｂ  第二面
Ｌ  画像表示光
Ｅ  観察者の眼
Ｓ  出射機構
Ｕ  ユニット部
【図１】
2011028141.tif 000003
【図２】
2011028141.tif 000004
【図３】
2011028141.tif 000005
【図４】
2011028141.tif 000006
【図５】
2011028141.tif 000007
【図６】
2011028141.tif 000008